(57)【要約】【課題】  内蔵する電源部のサイズを小さくすることによりレンズ鏡筒の小型化及び軽量化を図ることができる撮影レンズを提供する。【解決手段】  カメラ１２に対して着脱可能な撮影レンズ２であって、撮影レンズを構成する複数のレンズ部材１６，１８，２２、及び該複数のレンズ部材を収容するレンズ鏡筒８の少なくとも一方を、カメラによる撮影時にとりうる撮影状態位置と、該カメラによる非撮影時にとりうるリセット状態位置とに駆動制御する駆動制御部３２，３４と、撮影レンズがカメラに装着されている際にカメラ内に設けられた電源部４０から充電され、撮影レンズがカメラから取り外されている際に駆動制御部に対して給電するための蓄電部３０とを備え、蓄電部は、駆動制御部がレンズ部材またはレンズ鏡筒をリセット状態位置まで少なくとも１回駆動するのに必要な電荷量を蓄電する。【選択図】  図２
2011008075.tif 000002
【特許請求の範囲】
【請求項１】
カメラに対して着脱可能な撮影レンズであって、
前記撮影レンズを構成する複数のレンズ部材、及び該複数のレンズ部材を収容するレンズ鏡筒の少なくとも一方を、前記カメラによる撮影時にとりうる撮影状態位置と、該カメラによる非撮影時にとりうるリセット状態位置とに駆動制御する駆動制御部と、
前記撮影レンズが前記カメラに装着されている際に前記カメラ内に設けられた電源部から充電され、前記撮影レンズが前記カメラから取り外されている際に前記駆動制御部に対して給電するための蓄電部と、を備え、
前記蓄電部は、前記駆動制御部が、前記レンズ部材または前記レンズ鏡筒を、前記リセット状態位置まで少なくとも１回駆動するのに必要な電荷量を蓄電することを特徴とする撮影レンズ。
【請求項２】
前記リセット状態位置は、前記複数のレンズ部材間の光軸方向における間隔を短縮させて、前記レンズ鏡筒の全長を短縮せしめる縮筒位置を含み、
前記駆動制御部は、前記撮影レンズが前記カメラから取り外されている際に、前記蓄電部からの給電を受けて前記撮影レンズを前記縮筒位置に駆動することを特徴とする請求項１記載の撮影レンズ。
【請求項３】
前記撮影レンズが前記カメラに装着されたとき、及び前記撮影レンズが前記カメラに装着されてから所定時間経過毎の少なくとも一方のタイミングで、前記蓄電部に充電されている電荷量を検出する検出部と、
前記検出部による検出結果に基づいて、前記蓄電部に対する前記電源部からの充電を制御する充電制御部と、を備えることを特徴とする請求項１または請求項２記載の撮影レンズ。
【請求項４】
前記撮影レンズが前記カメラに装着され、かつ前記カメラの電源がオンされたときに、前記駆動制御部は、前記電源部から給電を受けることにより前記レンズ部材及び前記レンズ鏡筒の少なくとも一方を、前記リセット状態位置から前記撮影状態位置まで駆動し、
前記撮影レンズが前記カメラに装着された状態で前記カメラの電源オフの指示がなされたときに、前記駆動制御部は、前記電源部から給電を受けることにより前記レンズ部材及び前記レンズ鏡筒の少なくとも一方を、前記撮影状態位置から前記リセット状態位置まで駆動することを特徴とする請求項１〜請求項３の何れか一項に記載の撮影レンズ。
【請求項５】
外部操作可能であり、該操作に応じて、前記レンズ部材及び前記レンズ鏡筒の少なくとも一方を前記リセット状態位置まで移動させる指示を出力する操作部材を備え、
前記撮影レンズが前記カメラから取り外されている場合のみ、前記駆動制御部は、前記操作部材による操作に基づいて前記リセット状態位置への駆動制御を実行せしめることを特徴とする請求項１〜請求項４の何れか一項に記載の撮影レンズ。
【請求項６】
前記操作部材は、前記撮影レンズが前記カメラへ装着された際に前記レンズ鏡筒の前記カメラに対向配置される部位に設けられることを特徴とする請求項５記載の撮影レンズ。
【請求項７】
前記操作部材は、前記カメラに設けられたカメラ側マウントと締結するために設けられたレンズ側マウントのマウント面上に設けられていることを特徴とする請求項６に記載の撮影レンズ。
【発明の詳細な説明】
【技術分野】
【０００１】
本発明は、カメラに対して着脱可能な撮影レンズに関するものである。
【背景技術】
【０００２】
カメラボディに対して着脱可能であって、レンズやレンズを収容するレンズ鏡筒を駆動させるための駆動機構及び該駆動機構に対して電力を供給する電源を内蔵する撮影レンズが存在する。この撮影レンズにおいては、撮影レンズがカメラボディから取り外されたことを検出したとき、撮影レンズが内蔵する電源から電力の供給を受けて駆動機構が自動的に駆動し、撮影レンズは収納に適した位置、即ちレンズ鏡筒が繰り出された位置から繰り込まれた位置に自動的に移動する（例えば、特許文献１参照）。
【先行技術文献】
【特許文献】
【０００３】
【特許文献１】特開２０００−２２７５４０号公報
【発明の概要】
【発明が解決しようとする課題】
【０００４】
ところで、撮影レンズを構成する各部を稼動させるための電力供給源として撮影レンズに内蔵されている電源を用いた場合には、容量の大きな電源、即ちサイズの大きな電源を撮影レンズに内蔵させる必要があり、撮影レンズのサイズが大型化するおそれがあった。
【０００５】
本発明の目的は、内蔵する電源部のサイズを小さくすることによりレンズ鏡筒の小型化及び軽量化を図ることができる撮影レンズを提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明の撮影レンズは、カメラ（１２）に対して着脱可能な撮影レンズ（２）であって、前記撮影レンズ（２）を構成する複数のレンズ部材（１６，１８，２２）、及び該複数のレンズ部材（１６，１８，２２）を収容するレンズ鏡筒（８）の少なくとも一方を、前記カメラ（１２）による撮影時にとりうる撮影状態位置と、該カメラ（１２）による非撮影時にとりうるリセット状態位置とに駆動制御する駆動制御部（３２，３４）と、前記撮影レンズ（２）が前記カメラ（１２）に装着されている際に前記カメラ（１２）内に設けられた電源部（４０）から充電され、前記撮影レンズ（２）が前記カメラ（１２）から取り外されている際に前記駆動制御部（３２，３４）に対して給電するための蓄電部（３０）とを備え、前記蓄電部（３０）は、前記駆動制御部（３２，３４）が、前記レンズ部材（１６，１８，２２）または前記レンズ鏡筒（８）を、前記リセット状態位置まで少なくとも１回駆動するのに必要な電荷量を蓄電することを特徴とする。
【発明の効果】
【０００８】
本発明の撮影レンズによれば、内蔵する電源部のサイズを小さくすることによりレンズ鏡筒の小型化及び軽量化を図ることができる。
【図面の簡単な説明】
【０００９】
【図１】実施の形態に係る撮影レンズの外観を示す図である。
【図２】実施の形態に係る撮影レンズのレンズ部材の構成図、撮影レンズのシステム構成を示すブロック図、及びカメラのシステム構成を示すブロック図である。
【図３】レンズ鏡筒（移動筒）が縮筒位置へ移動した状態を示す図である。
【図４】実施の形態に係る撮影レンズにおいて、撮影レンズがカメラから取り外されている際の動作について説明するためのフローチャートである。
【図５】実施の形態に係る撮影レンズ及びカメラにおいて、カメラの電源部から電気二重層コンデンサに充電される際の動作について説明するためのフローチャートである。
【発明を実施するための形態】
【００１０】
以下、図面を参照して、本発明の実施の形態に係る撮影レンズについて説明する。図１は、この実施の形態に係る撮影レンズ２の外観を示す図である。撮影レンズ２は、後述するカメラ１２（図２参照）に対して、カメラ１２に設けられているカメラ側マウント部（図示せず）、及びレンズ側マウント部４を介して着脱可能に構成されており、図１に示す差込部６をカメラ側マウント部中央のマウント開口部（図示せず）に差し込み、カメラ側マウント部にレンズ側マウント部４を締結させることによりカメラ１２に固定される。
【００１１】
また、撮影レンズ２は、後述する複数のレンズ部材等を収容するレンズ鏡筒８を備えており、レンズ鏡筒８は、固定筒８ａ及び移動筒８ｂにより構成されている。移動筒８ｂは、固定筒８ａに対して撮影レンズ２の光軸方向である図中矢印Ａ方向に移動可能に構成されている。レンズ鏡筒８は、移動筒８ｂが移動することにより、カメラ１２による撮影時にとりうる撮影状態位置と、カメラ１２による非撮影時にとりうるリセット状態位置との間を移動する。即ち、複数のレンズ部材間の光軸方向における間隔を撮影に適した位置に配置させて、レンズ鏡筒８の全長を伸長せしめる撮影状態位置と、複数のレンズ部材間の光軸方向における間隔を短縮させて、レンズ鏡筒８の全長を短縮せしめるリセット状態（縮筒状態）位置としての縮筒位置との間を移動する。
【００１２】
また、撮影レンズ２は、ユーザーによる操作に応じて、レンズ鏡筒８（移動筒８ｂ）を縮筒位置まで移動させる指示を出力する縮筒ボタン１０を備えている。縮筒ボタン１０は、撮影レンズ２がカメラ１２へ装着された際に、レンズ鏡筒８のカメラ１２に対向配置される部位、即ち、レンズ側マウント部４のマウント面上に設けられている。即ち、縮筒ボタン１０は、撮影レンズ２がカメラ１２に装着されている間においてはユーザーによる視認不可能な位置、即ちユーザーによる操作不可能な位置に配置されている。縮筒ボタン１０は、マウント面から突出しない位置、即ちマウント面に対して同一または凹んだ面にあるため、撮影レンズ２がカメラ１２へ装着された際にも押下されることはない。このため、撮影レンズ２をカメラ１２に装着中に、誤って縮筒ボタン１０が操作されることが無い。縮筒ボタン１０は、ユーザーにより押下されると、後述するマイコン２６（図２参照）に対してレンズ鏡筒８（移動筒８ｂ）を縮筒位置へ移動させる指示を出力する。
【００１３】
図２は、撮影レンズ２のレンズ鏡筒８内に収容されているレンズ部材の構成図、撮影レンズ２のシステム構成を示すブロック図、及び撮影レンズ２を装着するカメラ１２のシステム構成を示すブロック図である。図２に示すように、撮影レンズ２は、レンズ鏡筒８内に、レンズ１４、手振れ補正レンズ１６、電磁絞り１８、レンズ２０、フォーカスレンズ２２を備えている。手ぶれ補正レンズ１６は、カメラ１２による撮影時における手振れを補正するための機構であり、手振れ補正レンズ１６の光軸方向に対して垂直な面内を移動可能に構成されている。また、手振れ補正レンズ１６には、撮影レンズ２がカメラ１２から取り外された場合等、撮影レンズ２を使用しない間に手振れ補正レンズ１６が動くことがないように手振れ補正レンズ１６を固定するためのメカセンターロック機構２４が設けられている。
【００１４】
電磁絞り１８は、電磁絞り１８を通過する被写体光の量を調整するための機構であり、被写体光が通過するための開口部１８ａを開閉可能、及び開口部１８ａの大きさを変更可能に構成されている。フォーカスレンズ２２は、フォーカス位置を調整するための機構であり、フォーカスレンズ２２の光軸方向に移動可能に構成されている。
【００１５】
また、撮影レンズ２は撮影レンズ２の各部を統括的に制御するマイコン２６を備えており、マイコン２６は、縮筒ボタン１０の押下により出力されるレンズ鏡筒８を縮筒位置へ移動させる指示を受信する。マイコン２６の動作については、後述する。また、マイコン２６には充電回路２８が接続されており、充電回路２８には電気二重層コンデンサ３０が接続されている。電気二重層コンデンサ３０は、カメラ１２内に設けられた電源部４０（後述する）から充電され、撮影レンズ２がカメラ１２から取り外されている際に、後述するモータドライバ３２及びモータ３４に対して給電する。電気二重層コンデンサ３０は、モータ３４を用いてレンズ鏡筒８（移動筒８ｂ）を撮影状態位置から縮筒位置まで少なくとも１回移動させるのに必要な電荷量（例えば、５〜１０ｍＷ）のみを蓄電することができる。なお、この実施の形態に係る撮影レンズ２においては、蓄電部として電気二重層コンデンサ３０を備えているが、移動筒８ｂを撮影状態位置から縮筒位置まで少なくとも１回移動させるのに必要な電荷量のみを蓄電可能な蓄電池（例えば、リチウムイオン二次電池等）を備えることもできる。また、モータドライバ３２は、モータ３４の駆動を制御し、モータ３４は、モータドライバ３２の駆動制御に従い、移動筒８ｂを固定筒８ａに対して撮影レンズ２の光軸ＡＸ方向に移動させる。
【００１６】
撮影レンズ２を装着するカメラ１２は、カメラ１２の各部を統括的に制御するマイコン３６、マイコン３６に接続されている電源回路３８、電源回路３８に接続されている電源部４０を備えている。電源回路３８は、撮影レンズ２がカメラ１２に装着されている際に、撮影レンズ２の充電回路４０に接続される。電源部４０は、電源回路３８を介して、カメラ１２の各部に給電し、かつ電源回路３８及び充電回路２８を介して、撮影レンズ２の電気二重層コンデンサ３０に充電する。また、カメラ１２は、ユーザーによるオンオフ操作が可能であり、ユーザーによる操作に応じて、カメラ１２の電源をオンオフする電源スイッチ４２を備えている。
【００１７】
この実施の形態では、撮影レンズ２がカメラ１２に装着され、かつカメラ１２の電源スイッチ４２がオンされている場合には、撮影レンズ２の各部（レンズ鏡筒８、手振れ補正レンズ１６、電磁絞り１８、フォーカスレンズ２２、メカセンターロック機構２４等）は、カメラ１２内の電源部４０からの給電を受けて動作する。例えば、モータ３４は、電源部４０からの給電を受けて駆動し、レンズ鏡筒８を図２に示す撮影状態位置から図３に示す縮筒位置へ、または縮筒位置から撮影状態位置へ移動させる。一方、撮影レンズ２がカメラ１２に装着されていない場合には、モータ３４は、電気二重層コンデンサ３０からの給電を受けて駆動する。
【００１８】
なお、図３に示すように、レンズ鏡筒８が撮影状態位置から縮筒位置へ移動する際、レンズ１４、手振れ補正レンズ１６、電磁絞り１８、レンズ２０、フォーカスレンズ２２も光軸ＡＸ方向（紙面右方向）、即ち撮影状態位置から縮筒位置へ移動する。
【００１９】
次に、図４に示すフローチャートを参照して、この実施の形態に係る撮影レンズ２において、撮影レンズ２がカメラ１２から取り外されている際に撮影レンズ２のマイコン２６の動作について説明する。
【００２０】
通常、撮影レンズ２がカメラ１２に装着され、かつカメラ１２の電源スイッチ４２がオンされると、カメラ１２による撮影に備えて、モータ３４は、カメラ１２の電源部４０から給電を受けて移動筒８ｂを駆動させる。その結果、レンズ鏡筒８は、その全長を短縮した縮筒位置からその全長を伸長した撮影状態位置に移動する。そして、撮影レンズ２がカメラ１２に装着された状態で、カメラ１２の電源スイッチ４２を介して電源オフの指示がなされると（または、図示しないシャッタボタンが半押しされてから一定時間が経過する（半押しタイマーがオフされる）と）、撮影レンズ２の収納及び運搬の利便性を高めるために、モータ３４は、カメラ１２の電源部４０から給電を受けて移動筒８ｂを駆動させる。その結果、レンズ鏡筒８は、撮影状態位置から縮筒位置に移動する。しかしながら、カメラ１２の電源スイッチ４２がオフされる前、カメラ１２の電源スイッチ４２はオフされているが移動筒８ｂの駆動が開始する前、または移動筒８ｂの駆動が終了する前に、撮影レンズ２がカメラ１２から取り外された場合には、レンズ鏡筒８が縮筒位置に移動することなく、カメラ１２の電源部４０から撮影レンズ２への給電が停止する。この場合において、この実施の形態では、撮影レンズ２をカメラ１２に再度装着することなく、レンズ鏡筒８を縮筒位置に移動させることができる。
【００２１】
まず、マイコン２６は、撮影レンズ２がカメラ１２から取り外されており、かつ縮筒ボタン１０が押下されたことを認識すると（ステップＳ１０、Ｙｅｓ）、レンズ鏡筒８が縮筒位置にあるか否かを判別する（ステップＳ１１）。レンズ鏡筒８が縮筒位置にない場合（ステップＳ１１、Ｎｏ）、即ちレンズ鏡筒８が縮筒位置に移動することなく、撮影レンズ２がカメラ１２から取り外された場合には、マイコン２６は、レンズ鏡筒８を移動させるのに十分な電荷が電気二重層コンデンサ３０に蓄電されているか否かを判別する（ステップＳ１２）。電気二重層コンデンサン３０に十分な電荷が蓄電されていると判別された場合には（ステップＳ１２、Ｙｅｓ）、マイコン２６は、レンズ鏡筒８を縮筒位置へ移動させる（ステップＳ１３）。具体的には、マイコン２６からの指示に従い、充電回路２８は、電気二重層コンデンサ３０からモータドライバ３２及びモータ３４への給電を開始する。そして、モータドライバ３２は、モータ３４に対して駆動を開始するよう指示する。モータ３４は、二重層コンデンサ３０から給電を受けて、レンズ鏡筒８が図３に示す縮筒位置に移動するまで移動筒８ｂを駆動させる。
【００２２】
一方、レンズ鏡筒８が縮筒位置にある場合、即ち撮影レンズ２がカメラ１２から取り外される前にレンズ鏡筒８が縮筒位置に移動された場合には（ステップＳ１１、Ｙｅｓ）、マイコン２６は、レンズ鏡筒８を移動させる必要がないと判断する。また、電気二重層コンデンサン３０に十分な電荷が蓄電されていないと判別された場合（ステップＳ１２、Ｎｏ）には、マイコン２６は、レンズ鏡筒８を移動させることができないと判断する。
【００２３】
次に、図５に示すフローチャートを参照して、この実施の形態に係る撮影レンズ２及びカメラ１２において、カメラ１２の電源部４０から電気二重層コンデンサ３０に充電される際のカメラ１２のマイコン３６及び撮影レンズ２のマイコン２６の動作について説明する。
【００２４】
まず、ユーザーによりカメラ１２の電源スイッチ４２がオンされると（ステップＳ２０）、カメラ１２のマイコン３６は、撮影レンズ２がカメラ１２に装着されているか否かを判別する（ステップＳ２１）。撮影レンズ２がカメラ１２に装着されていると判別された場合には（ステップＳ２１、Ｙｅｓ）、マイコン３６は、撮影レンズ２に対して給電を開始する（ステップＳ２２）。
【００２５】
カメラ１２からの受電を開始すると（ステップＳ３０）、撮影レンズ２のマイコン２６は、電気二重層コンデンサ３０に蓄電されている電荷量を検出する（ステップＳ３１）。そして、ステップＳ３１において検出した電気二重層コンデンサ３０に蓄電されている電荷量をカメラ１２に対して通知する（ステップＳ３２）。
【００２６】
カメラ１２のマイコン３６は、撮影レンズ２からの電気二重層コンデンサ３０に蓄電されている電荷量の通知を受信し（ステップＳ２３）、ステップＳ２３において受信した電気二重層コンデンサ３０に蓄電されている電荷量を、図示しない表示部に表示する（ステップＳ２４）。即ち、ユーザーに対して撮影レンズ２に内蔵されている電源の電荷量を通知するための、例えば、電荷量を示す記号や数字等を表示する。
【００２７】
一方、撮影レンズ２のマイコン２６は、ステップＳ３２においてカメラ１２に対して電気二重層コンデンサ３０の電荷量を通知した後、ステップＳ３１において検出した電気二重層コンデンサ３０に蓄電されている電荷量に基づいて、電気二重層コンデンサ３０に充電する必要があるか否かを判別する（ステップＳ３３）。即ち、例えばモータドライバ３２及びモータ３４に対する給電、または放電等により、電気二重層コンデンサ３０に蓄電されている電荷量が所定量以下（例えば、電気二重層コンデンサ３０に蓄電可能な電荷量に対して３０％以下）となった場合には、マイコン２６は、電気二重層コンデンサ３０に充電する必要があると判別する。電気二重層コンデンサ３０に充電する必要があると判別された場合には（ステップＳ３３、Ｙｅｓ）、マイコン２６は、カメラ１２に対して電気二重層コンデンサ３０に対して充電するよう要求する（ステップＳ３４）。
【００２８】
一方、電気二重層コンデンサ３０に蓄電されている電荷量が所定量より多い場合には、マイコン２６は、電気二重層コンデンサ３０に充電する必要がないと判別し（ステップＳ３３、Ｎｏ）、所定時間経過後、ステップＳ３１の動作に戻り、ステップＳ３１〜Ｓ３３の動作を繰り返す。
【００２９】
カメラ１２のマイコン３６は、撮影レンズ２からの電気二重層コンデンサ３０に対する充電の要求を受信した後（ステップＳ２５）、電気二重層コンデンサ３０に対して充電可能であるか否かを判別する（ステップＳ２６）。例えば、電源部４０の電荷量が少ない時等、電気二重層コンデンサ３０に対して充電するのに適していない状況の場合には、マイコン３６は、電気二重層コンデンサ３０に対して充電可能でないと判別する（ステップＳ２６、Ｎｏ）。一方、電気二重層コンデンサ３０に対して充電するのに適していない状況でない場合には、マイコン３６は、電気二重層コンデンサ３０に対して充電可能であると判別し（ステップＳ２６、Ｙｅｓ）、電源部４０から電源回路３８を介して撮影レンズ２への充電を開始する（ステップＳ２７）。
【００３０】
撮影レンズ２のマイコン２６は、カメラ１２から、充電回路２８を介して電気二重層コンデンサ３０への充電を開始し（ステップＳ３５）、充電が終了するまで、カメラ１２に対して充電された電荷量を定期的に通知し、充電が終了した後（ステップＳ３６、Ｙｅｓ）、充電が終了したことを示す充電終了通知をカメラ１２に対して送信する（ステップＳ３７）。カメラ１２のマイコン３６は、撮影レンズ２から充電終了通知を受信すると（ステップＳ２８）、撮影レンズ２への充電を終了する（ステップＳ２９）。
【００３１】
なお、カメラ１２の電源スイッチ４２がオンされた直後においては、カメラ１２による撮影に備えたカメラ１２及び撮影レンズ２の各部の設定の一つとして、電気二重層コンデンサ３０の電荷量のチェック及び電気二重層コンデンサ３０の充電を行う。また、撮影レンズ２のマイコン２６は、カメラ１２の電源スイッチ４２がオンされている間、所定時間毎に電気二重層コンデンサ３０の電荷量を取得し（ステップＳ３１）、マイコン２６及びカメラ１２のマイコン３６は、ステップＳ３１〜Ｓ３７の動作、及びステップＳ２３〜Ｓ２９の動作を繰り返す。この場合において、カメラ１２のマイコン３６は、ステップＳ２６において、カメラ１２による撮影時には、電気二重層コンデンサ３０に対して充電可能でないと判別する。
【００３２】
この実施の形態に係る撮影レンズ２によれば、レンズ鏡筒８を撮影状態位置から鏡筒位置まで移動させるための電荷量のみを蓄電可能な電気二重層コンデンサ３０を備えているため、撮影レンズ２に内蔵させる電源のサイズを小さくすることができ、従来の撮影レンズと比較してレンズ鏡筒８の大きさを小さくすることができる。また、撮影レンズ２がカメラ１２に装着されている際には、カメラ１２から給電を受けてレンズ鏡筒８を移動させ、かつ撮影レンズ２を構成する各部を稼動させ、撮影レンズ２がカメラ１２から取り外されている場合のみ、電気二重層コンデンサ３０から給電を受けてレンズ鏡筒８を移動させる。したがって、撮影レンズ２を構成する各部を稼動させるための大容量の電源を撮影レンズ２が内蔵する必要がなく、撮影レンズ２（レンズ鏡筒８）の小型化及び軽量化を実現することができる。
【００３３】
なお、この実施の形態においては、縮筒ボタン１０をレンズ側マウント部４のマウント面上に設けているが、レンズ側マウント部４以外の箇所に設けてもよい。例えば、撮影レンズ２がカメラ１２に装着されたときに、ユーザーによる操作可能な位置に配置してもよいが、この場合には、撮影レンズ２がカメラ１２から取り外されている場合のみ、マイコン２６は、縮筒ボタン１０による操作に基づいてレンズ鏡筒８を縮筒位置まで移動させる。即ち、撮影レンズ２がカメラ１２に装着されている場合には、マイコン２６は、縮筒ボタン１０が押下されたとしてもレンズ鏡筒８を移動させない。
【００３４】
また、この実施の形態においては、縮筒ボタン１０が押下されることにより、レンズ鏡筒８を縮筒位置まで移動させているが、縮筒ボタン１０が押下されなくとも、または縮筒ボタン１０を設けなくとも、レンズ鏡筒８を縮筒位置まで自動で移動させることもできる。この場合には、移動等８ｂが自動で駆動することに対してユーザーが驚くことがないよう、撮影レンズ２がカメラ１２から取り外されてから所定時間経過後に行うとよい。また、移動筒８ｂが自動で駆動開始する前に、撮影レンズ２にスピーカ等を設け警告音を発信、またはＬＥＤ等を設けＬＥＤを点滅（または点灯）させる等、ユーザーに対して移動筒８ｂが駆動開始する旨を報知するとよい。
【００３５】
また、この実施の形態においては、レンズ鏡筒８の縮筒動作を例に挙げて説明したが、電磁絞り１８、フォーカスレンズ２２、メカセンターロック機構２４等のリセット動作についても本発明を適用することができる。具体的には、電磁絞り１８の開口部１８ａを開いた撮影状態位置から電磁絞り１８の開口部１８ａを閉じるリセット状態位置までの移動、フォーカスレンズ２２によるフォーカス位置調整後の撮影状態位置からフォーカスレンズ２２の初期設定の位置（リセット状態位置）までの移動、または、手振れ補正レンズ１６の移動可能な撮影状態位置からメカセンターロック機構２４により手振れ補正レンズ１６を固定するリセット状態位置への切換を、撮影レンズ２がカメラ１２から取り外されている場合のみ、前述の縮筒ボタン１０（換言すればリセットボタン）への押し下げ操作に応じて、電気二重層コンデンサ３０からの給電を受けて行うことができるようにしてもよい。
【符号の説明】
【００３６】
２…撮影レンズ、４…レンズ側マウント部、６…差込部、８…レンズ鏡筒、１０…縮筒ボタン、１２…カメラ、１４，２０…レンズ、１６…手振れ補正レンズ、１８…電磁絞り、２２…フォーカスレンズ、２４…メカセンターロック機構、２６…マイコン、２８…充電回路、３０…電気二重層コンデンサ、３２…モータドライバ、３４…モータ。
【図１】
2011008075.tif 000003
【図２】
2011008075.tif 000004
【図３】
2011008075.tif 000005
【図４】
2011008075.tif 000006
【図５】
2011008075.tif 000007